(57)【要約】      （修正有）【課題】屋根材の継手、その継手を用いた屋根材の接続方法およびその継手を用いてつなぎ合わせた屋根材の取り外し方法を提供する。【解決手段】屋根材２同士をその端部において相互につなぎ合わせる継手を、屋根材２の長手方向の端部を向かい合わせに載置するベースと、ベースに装着される連係部と、屋根材２の長手方向の端部を覆い隠して屋根材２に装着されるカバー４とを備えたもので構成する。連係部は、連係部本体と、一対の板状片とからなるものとし、カバー４は、挟持片４ｄを有するものとする。【選択図】図１
2020176382.tif 000002
【特許請求の範囲】
【請求項１】
屋根材の長手方向の端部を向かい合わせにして屋根材同士をその端部において相互につなぎ合わせる継手であって、
屋根材の長手方向の端部を向かい合わせに載置する支持片を有するベースと、
該ベースに装着される連係部と、
向かい合わせに載置された屋根材の長手方向の端部を覆い隠すカバーとを備え、
該連係部は、該ベースの内部空間に配置される連係部本体と、該連係部本体につながり、ベースに形成された開放部および向かい合わせに載置された屋根材の長手方向の端部の相互間を通して起立姿勢に保持されるが、基部を起点とする折り返しにより横倒し可能な一対の板状片とからなり、
該カバーは、その外縁に片持ち支持され、横倒し状態にされた一対の板状片と該屋根材の長手方向の端部の外表面との相互間に差し込まれて屋根材の長手方向の端部を、支持片と協働して挟持する挟持片を有することを特徴とする屋根材の継手。
【請求項２】
前記ベースは、前記支持片の外縁部に段下がりをなしてつながり、ベースを屋根の下地材に接地させる脚板を有することを特徴とする請求項１に記載した屋根材の継手。
【請求項３】
請求項１または２に記載された屋根材の継手を用いて屋根材同士をその端部において相互につなぎ合わせる屋根材の接続方法において、
連係部をベースに装着したのち、該ベースの先端部に曲げ加工を施し、次いで、屋根材の長手方向の端部を向かい合わせにしてベースの支持片に載置するとともに、連係部の一対の板状片を折り返して横倒し状態に保持する一方、向かい合わせに載置された屋根材の長手方向の端部をカバーにて覆い隠すとともに横倒し状態に保持された一対の板状片と該屋根材の長手方向の端部の外表面との相互間に挟持片を差し込んで該カバーを屋根材に装着することを特徴とする屋根材の接続方法。
【請求項４】
請求項１または２に記載された屋根材の継手によりつなぎ合わされた屋根材を取り外す方法であって、
前記カバーを屋根材から取り外したのち、横倒し状態に保持された連係部の一対の板状体を引き起こして起立姿勢に保持し、次いで、屋根材の水下側、水上側に位置する他の屋根材との連係を解除することを特徴とする屋根材の取り外し方法。
【発明の詳細な説明】
【技術分野】
【０００１】
本発明は、一般住宅や事務所、マンション、福祉施設、リゾート施設等の屋根において幅広く使用される屋根材、とくに、長手方向の端部に継手を介在させて屋根材同士を軒方向につなぎ合わせる、横葺きタイプの屋根材に用いて好適な継手およびその継手を用いた屋根材の接続方法に関するものである。
【背景技術】
【０００２】
横葺タイプの屋根材は、長さ方向の寸法（桁行方向の寸法）が幅方向の寸法（梁間方向の寸法）よりも長い板状本体を備え、桁行方向において屋根板材同士をつなぎ合わせる作業を先行して行い、その作業が完了したならば梁間方向において屋根板材同士をつなぎ合わせる作業を行うことにより建築構造物の屋根を葺きあげるものである。
【０００３】
かかる屋根材は、桁行方向に屋根材同士をつなぎ合わせる際には、特許文献１に開示されているような継手が用いられている。
【０００４】
ところで、従来のこの種の継手は、屋根材の長手方向の端部に対して同一平面上でスライドさせながら引っ掛けて取り付けるのが一般的であり、屋根の効率的な葺きあげが行えるとはいえないものであり、しかも、屋根の葺きあげが完了したのちにおいて屋根材の一部分に疵や凹みなどの外観不良が発見され、その部位の屋根材の交換を行う場合には、交換対象となる屋根板材よりも後に取り付けられた屋根板材を全て取り外したのちでなければ屋根板材の交換は困難であり、屋根材の効率的な部分交換を実施することができないのが現状であった。
【先行技術文献】
【特許文献】
【０００５】
【特許文献１】特許第２５０２７４８号公報
【発明の概要】
【発明が解決しようとする課題】
【０００６】
本発明の目的は、屋根材同士を簡便かつ確実につなぎ合わせて屋根の効率的な葺きあげを可能とするとともに、屋根の葺きあげが完了したのちであっても、任意の位置の屋根材を簡単な作業でもって取り外すことができる継手、その継手を用いた屋根材の接続方法およびその継手を用いてつなぎ合わせた屋根材の取り外し方法を提案するところにある。
【課題を解決するための手段】
【０００７】
本発明は、屋根材の長手方向の端部を向かい合わせて屋根材同士をその端部において相互につなぎ合わせる継手であって、屋根材の長手方向の端部を向かい合わせに載置する支持片を有するベースと、該ベースに装着される連係部と、向かい合わせに載置された屋根材の長手方向の端部を覆い隠すカバーとを備え、該連係部は、該ベースの内部空間に配置される連係部本体と、該連係部本体につながり、ベースに形成された開放部および向かい合わせに載置された屋根材の長手方向の端部の相互間を通して起立姿勢に保持されるが、基部を起点とする折り返しにより横倒し可能な一対の板状片とからなり、該カバーは、その外縁に片持ち支持され、横倒し状態にされた一対の板状片と該屋根材の長手方向の端部の外表面との相互間に差し込まれて屋根材の長手方向の端部を、支持片と協働して挟持する挟持片を有することを特徴とする屋根材の継手である。
【０００８】
上記の構成からなる継手において、前記ベースは、前記支持片の外縁部に段下がりをなしてつながり、ベースを屋根の下地材に接地させる脚板を有するのが好ましい。
【０００９】
また、本発明は、上記の構成からなる継手を用いて屋根材同士をその端部において相互につなぎ合わせる屋根材の接続方法において、連係部をベースに装着したのち、該ベースの先端部に曲げ加工を施し、次いで、屋根材の長手方向の端部を向かい合わせにしてベースの支持片に載置するとともに、連係部の一対の板状片を折り返して横倒し状態に保持する一方、向かい合わせに載置された屋根材の長手方向の端部をカバーにて覆い隠すとともに横倒し状態に保持された一対の板状片と該屋根材の長手方向の端部の外表面との相互間に挟持片を差し込んで該カバーを屋根材に装着することを特徴とする屋根材の接続方法である。さらに、本発明は、上記の構成からなる継手によりつなぎ合わせた屋根材を取り外す方法であって、カバーを屋根材から取り外したのち、横倒し状態に保持された連係部の一対の板状体を引き起こして起立姿勢に保持し、次いで、屋根材の水下側、水上側に位置する他の屋根材との連係を解除することを特徴とする屋根材の取り外し方法である。
【発明の効果】
【００１０】
本発明によれば、屋根材同士を簡便かつ確実につなぎ合わせることが可能であるだけでなく、連係部を構成する一対の板状連係片を引き起こして起立姿勢に保持することにより、屋根材の長手方向の端部をフリーな状態にすることが可能であり、屋根材の上ハゼ、下ハゼの、水上側、水下側に位置する屋根材との嵌合状態を解除するだけで屋根材を取り外すことができる。
【図面の簡単な説明】
【００１１】
【図１】本発明にしたがう継手を用いて屋根材同士をその長手方向の端部において相互につなぎ合わせた状態を示した外観斜視図である。
【図２】継手のカバーを取り外した状態を示した外観斜視図である。
【図３】屋根材同士をつなぎ合わせる直前の状態を示した外観斜視図である。
【図４】本発明にしたがう継手を分解状態で示した外観斜視図である。
【図５】図４に示した継手のベースの正面を示した図である。
【図６】図４に示した継手の連係部の正面を示した図である。
【図７】図４に示したカバーのＢ−Ｂ断面を示した図である。
【図８】ベースを、屋根材の上ハゼ、下ハゼに取り付けた状況を模式的に示した図である。
【図９】ベースの他の例を示した図である。
【図１０】カバーを屋根材の上ハゼ、下ハゼに取り付けた状況を模式的に示した図である。
【図１１】図１のＡ−Ａ断面を示した図である。
【図１２】連係部をベースに装着する状況を示した図である。
【図１３】連係部をベースに装着する状況を示した図である。
【図１４】連係部をベースに装着する状況を示した図である。
【図１５】ベースの先端部に曲げ加工を施した状態を示した図である。
【図１６】屋根材のつなぎ合わせ要領の説明図である。
【図１７】屋根材のつなぎ合わせ要領の説明図である。
【図１８】屋根材のつなぎ合わせ要領の説明図である。
【発明を実施するための形態】
【００１２】
以下、図面を参照して、本発明をより具体的に説明する。
図１は、本発明にしたがう継手を用いて屋根材同士をその長手方向の端部において相互につなぎ合わせた状態を示した外観斜視図であり、図２は、継手のカバーを取り外した状態を示した外観斜視図であり、図３は、屋根材同士をつなぎ合わせる直前の状態を示した外観斜視図である。また、図４は、本発明にしたがう継手を分解状態で示した外観斜視図であり、図５は、図４に示した継手のベースの正面を示した図であり、図６は、図４に示した継手の連係部の正面を示した図であり、図７は、図４に示したカバーのＢ−Ｂ断面を示した図である。
【００１３】
本発明において使用する横葺タイプの屋根材としては、水下側に上ハゼを有し、水上側に下ハゼを有し、該上ハゼを水下側に隣接配置される他の屋根材の下ハゼに嵌合させるとともに該下ハゼを水上側に隣接配置される他の屋根材の上ハゼに嵌合させて屋根材同士を、軒乃至棟方向へとつなぎ合わせるもの用いることができる。
【００１４】
屋根材は、その長さ方向の寸法は任意（フリー）で、幅方向の寸法が１８０〜４００ｍｍ程度、厚さ０．３５〜０．８ｍｍ程度の、例えば、溶融亜鉛めっき鋼板やカラー鋼板等の防錆処理鋼板、ステンレス鋼板、銅板、アルミニウム合金板、亜鉛板等からなり、ロール成形法やプレス成形法等を適用して所定の断面形状へと成形されたものが好適であり、また、継手としては、屋根材と同等の厚さ、材質からなるものを用いるのが好適である。
【００１５】
図１〜７における符号１は、継手のベースである。ベース１は、屋根材２の長手方向の端部２ａを向かい合わせに載置する支持片１ａと、該支持片１ａの外縁部に段下がりをなしてつながり、ベース１を屋根の下地材に接地させる脚板１ｂを有している。ベース１の先端部には、屋根材２の水下側に設けられた上ハゼ２ｂの背面部に嵌合可能な曲げ加工部１ｃが設けられ、その後端部には、屋根材２の水上側に設けられた下ハゼ２ｃの背面部に沿う曲げ加工部１ｄが設けられている。ベース１は、図８に示すように、曲げ加工部１ｃ、１ｄを屋根材２の上ハゼ２ｂおよび下ハゼ２ｃの背面部に位置させることによって取り付けられる。ベース１は、単一の板材を曲げ加工することによって成形することができるが、図９に示すように、複数部材で構成することもできる。なお、曲げ加工部１ｃ、１ｄは、上ハゼ２ｂ、下ハゼ２ｃの背面部に沿うように配置してもよいし、上ハゼ２ｂ、下ハゼ２ｃの少なくとも一部分で嵌合するものとしてもよい。
【００１６】
また、符号３は、ベース１に装着される連係部である。連係部３は、ベース１の内部空間１ｅにその端面を通して挿入、配置される連係部本体３ａと、該連係部本体３ａにつながり、ベース１に形成された開放部１ｆおよび向かい合わせに載置された屋根材２の長手方向の端部２ａの相互間を通して起立姿勢に保持されるが、基部３ｂを起点とする折り返しにより横倒し可能な一対の板状片３ｃから構成されている。連係部３の連係部本体３ａの寸法ｗ（図４参照）は、屋根材の接続強度を確保する観点から、屋根材２の働き幅Ｌ（図１参照）の１／２以上とするのが好ましい。板状片３ｃについては、台形状のものを例として示したが、その形状は、矩形状やその他の形状に変更可能であり、図示のものに限定されない。連係部３は、単一の板を曲げ加工することによって成形することができるが、複数部材で構成してもよい。
【００１７】
また、符号４は、向かい合わせに載置された屋根材２の長手方向の端部２ａを覆い隠して屋根材２の上ハゼ２ｂ、下ハゼ２ｃに着脱自在に嵌合可能なカバーである。カバー４は、屋根材２の長手方向の端部を覆い隠すカバー本体４ａと、このカバー本体４ａの先端につながり、屋根材２の上ハゼ２ｂの外面において嵌合可能な先端屈曲片４ｂと、該カバー本体４ａの後端につながり、屋根材２の下ハゼ２ｃの外面において嵌合可能な後端屈曲片４ｃから構成されている。カバー本体４ａの外縁（両側縁）には、該カバー本体４ａに片持ち支持され、横倒し状態にされた一対の板状片３ｃと該屋根材２の長手方向の端部２ａの外表面との相互間に差し込まれて屋根材２の長手方向の端部２ａを、支持片１ａと協働して挟持する挟持片４ｄが設けられている。また、カバー本体４ａの外表面には、美観の改善を図るため、複数本の溝部４ｅを設けておくことが可能であり、挟持片４ｄの先端部分は、カバー４の裏面に向けて近接するように屈曲させておくことができる（図７参照）。
【００１８】
図１０は、カバー４を屋根材２の上ハゼ２ｂ、下ハゼ２ｃに取り付けた状況を模式的に示した図であり、図１１は、図１のＡ−Ａ断面を示した図である。本発明の継手においては、向かい合わせに載置された屋根材２の長手方向の端部２ａをカバー４の挟持片４ｄとベース１の支持片１ａとによって挟持するだけの簡単な作業で屋根材同士を確実につなぎ合わせることが可能であり、建築構造物の屋根を効率的に葺きあげることができる。
【００１９】
継手を構成する板状片３ｃは、平板状のものが適用できるが、横倒し状態で上方へ向けて凹状となる部分を形成する屈曲部３ｄ１、３ｄ２を設けておくのが好ましい。板状片３ｃに屈曲部３ｄ１、３ｄ２を設けておくことによりそれそのものの強度を高めることができるだけでなく、とくに、屈曲部３ｄ１においては、挟持片４ｄの差し込みが容易になるとともに該挟持片４ｄの先端部に連係させて該挟持片４ｄの、板状片３ｃに対するずれを防止することができる。また、屈曲部３ｄ２においては、挟持片４ｄの弾性的な作用により挟持片４ｄを屋根材２の長手方向の端部２ａに向けて強く押圧することが可能となるため、屋根材２の長手方向の端部２ａと挟持片４ｄとの間での毛細管現象による雨水の浸入を回避する効果が期待できる。
【００２０】
屋根材同士をその端部２ａにおいて相互につなぎ合わせるには、まず、図１２〜図１４に示すようにベース１の内部空間１ｅに連係部３の連係部本体３ａを挿入して連係部３をベース１に装着する。そして、図１５に示すように、ベース１の先端部に屋根材２の上ハゼ２ｂに嵌合させることができる曲げ加工部１ｃを設けたのち、図１６に示すように、屋根材２の長手方向の端部２ａを向かい合わせにしてベース１の支持片１ａに載置するとともにベース１の先端部に形成された曲げ加工部１ｃを屋根材２の上ハゼ２ｂの背面部に沿って位置させ、後端部の曲げ加工部１ｄを屋根材２の下ハゼ２ｃの背面部に沿って位置させ、さらに、図１７に示すように、連係部３の一対の板状片３ｃをそれぞれ反対向きに折り返して横倒し状態に保持する一方、向かい合わせに載置された屋根材２の長手方向の端部２ａをカバー４にて覆い隠すとともに横倒し状態にされた板状片３ｃと屋根材２の長手方向の端部２ａの外表面との相互間に挟持片４ｄを差し込んでカバー４を屋根材の上ハゼ２ｂ、下ハゼ２ｃに嵌合させればよい。なお、屋根材２のつなぎ合わせに際しては、図１８に示すように、一方の屋根材２の長手方向の端部２ａに継手のベース１の片方を差し込み、継手のベース１のもう片方を次の屋根材２の長手方向の端部２ａに差し込むようにしてもよい。
【００２１】
屋根材同士のつなぎ合わせが完了したのちにおいて任意の位置の屋根材２を取り外す必要が生じた場合には、カバー４を外すとともに横倒し状態にされた板状片３ｃを図１６に示すように引き起こして起立姿勢に保持すればよく、これにより屋根材２の長手方向の端部２ａはフリーな状態となり、屋根材２の上ハゼ２ｂ、下ハゼ２ｃの、水下側、水上側に隣接配置される他の屋根材との連係（嵌合状態）を解除するだけで屋根材の取り外しが可能となる。屋根材を取り外してその取外し部位に新規な屋根材を配置したのちは、板状片３ｃを再び横倒し状態に保持してカバー４を取り付ければよく、連係部３はそのまま再利用することができる。屋根材の取り外しに際しては、屋根材そのものを持ち上げて取り外すのが望ましく、これによれば、従来のように同一水平面上で屋根材をスライドさせて取り外すよりも屋根材の取り外しが容易になる。
【００２２】
本発明にしたがう継手のベース１は、屋根材同士のつなぎ合わせに際してその姿勢を安定化させるため、脚板１ｂを有するものとしたが、この脚板１ｂを段下がりをなして支持片１ａの外縁部につなげることにより、支持片１ａから内部空間１ｅの底部に至るまでの高さを高くすることができ、毛細管現象により挟持片４ｄと屋根材２の長手方向の端部２ａとの相互間から雨水等が浸入するようなことがあったとしても、下地材側へ向けて流れ込むのを回避することが可能であり止水性を高め得る。
【産業上の利用可能性】
【００２３】
本発明によれば、屋根材同士を簡便かつ確実につなぎ合わせることが可能であり、屋根の葺きあげが完了したのちであっても、任意の位置の屋根材を簡単な作業でもって取り外すことを可能とした継手、その継手を用いた屋根材の接続方法およびその継手を用いてつなぎ合わせた屋根材の取り外し方法を提供することができる。
【符号の説明】
【００２４】
１      ベース
１ａ    支持片
１ｂ    脚板
１ｃ    曲げ加工部
１ｄ    曲げ加工部
１ｅ    内部空間
１ｆ    開放部
２      屋根材
２ａ    長手方向の端部
２ｂ    上ハゼ
２ｃ    下ハゼ
３      連係部
３ａ    連係部本体
３ｂ    基部
３ｃ    板状片
４      カバー
４ａ    カバー本体
４ｂ    先端屈曲片
４ｃ    後端屈曲片
４ｄ    挟持片
４ｅ    溝部
【図１】
2020176382.tif 000003
【図２】
2020176382.tif 000004
【図３】
2020176382.tif 000005
【図４】
2020176382.tif 000006
【図５】
2020176382.tif 000007
【図６】
2020176382.tif 000008
【図７】
2020176382.tif 000009
【図８】
2020176382.tif 000010
【図９】
2020176382.tif 000011
【図１０】
2020176382.tif 000012
【図１１】
2020176382.tif 000013
【図１２】
2020176382.tif 000014
【図１３】
2020176382.tif 000015
【図１４】
2020176382.tif 000016
【図１５】
2020176382.tif 000017
【図１６】
2020176382.tif 000018
【図１７】
2020176382.tif 000019
【図１８】
2020176382.tif 000020